(57)【要約】【課題】直接の送信先やＣＣメールの宛先の電子メールには表示されず、ＢＣＣメールだけにＢＣＣ用のコメントを付加して送信できる電子メール送信プログラムを提供する。【解決手段】この電子メール送信プログラムでは、ＢＣＣ宛先欄と共にＢＣＣ宛本文入力欄２１５をメール作成画面２１０上に表示し、ユーザが電子メールを作成するときに、ＢＣＣ宛先欄に送信先のメールアドレスを入力し、ＢＣＣ宛本文欄にＢＣＣを送る理由を入力して送信すれば、当該メール送信プログラムにより宛先欄、ＣＣ宛先欄に入力されたメールアドレスの送信先には本文欄２１１の入力内容だけを伝える電子メールを送信し、ＢＣＣ宛先欄に入力されたメールアドレスの送信先には、本文欄の入力内容と共にＢＣＣ宛本文欄に入力された内容も送信する。【選択図】      図３
2004348477.tif 000002
【特許請求の範囲】
【請求項１】
宛先欄、ＣＣ宛先欄、ＢＣＣ宛先欄、件名欄、本文欄、ＢＣＣ宛本文欄を含む電子メール作成画面をディスプレイに表示する処理と、
前記宛先欄、ＣＣ宛先欄、ＢＣＣ宛先欄それぞれへのアドレス入力を受け付け、該当各欄に表示する処理と、
前記件名欄、本文欄それぞれへの入力を受け付け、該当各欄に表示する処理と、
前記ＢＣＣ宛本文欄への入力を受け付け、当該ＢＣＣ宛本文欄に表示する処理と、
送信指示を受け付ける処理と、
前記送信指示を受け付けたときに、前記宛先欄、ＣＣ宛先欄の入力それぞれを送信先アドレスとし、前記ＢＣＣ宛本文欄の入力内容は含めず、前記本文欄に入力されている内容を本文とする電子メールを作成する処理と、
前記送信指示を受け付けたときに、前記ＢＣＣ宛先欄に入力があれば、当該ＢＣＣ宛先欄への入力をＢＣＣ送信先アドレスとし、前記本文欄とＢＣＣ宛本文欄に入力されている内容をメール本文及びＢＣＣコメントとする電子メールを作成する処理と、
前記宛先欄、ＣＣ宛先欄の入力それぞれを送信先アドレスとする電子メールと前記ＢＣＣ宛先欄の入力をＢＣＣ送信アドレスとする電子メールとをメールサーバに送信する処理とをコンピュータに実行させることを特徴とする電子メール送信プログラム。
【請求項２】
宛先欄、ＣＣ宛先欄、ＢＣＣ宛先欄、件名欄、本文欄、ＢＣＣ宛本文欄を含む電子メール作成画面をディスプレイに表示する処理と、
前記宛先欄、ＣＣ宛先欄、ＢＣＣ宛先欄それぞれへのアドレス入力を受け付け、該当各欄に表示する処理と、
前記件名欄、本文欄それぞれへの入力を受け付け、該当各欄に表示する処理と、
前記ＢＣＣ宛本文欄への入力を受け付け、当該ＢＣＣ宛本文欄に表示する処理と、
送信指示を受け付ける処理と、
前記送信指示を受け付けたときに、前記宛先欄、ＣＣ宛先欄、ＢＣＣ宛先欄の入力それぞれを送信先アドレスとし、前記本文欄とＢＣＣ宛本文欄に入力されている内容をメール内容とするオリジナル送信メールを作成する処理と、
前記オリジナル送信メールをメールサーバに送信する処理とをコンピュータに実行させることを特徴とする電子メール送信プログラム。
【請求項３】
ＢＣＣ宛本文欄表示選択ボタンを表示する処理を有し、
前記ＢＣＣ宛本文欄表示選択ボタンの選択操作により前記ＢＣＣ宛本文欄を表示することを特徴とする請求項１又は２記載の電子メール送信プログラム。
【請求項４】
予めＢＣＣ宛本文欄を指定するキーワードを設定する処理と、
前記本文欄に前記ＢＣＣ宛本文欄を指定するキーワードが入力されているか否かを判定する処理と、
前記ＢＣＣ宛本文欄を指定するキーワードが入力されていると判定したときに、当該キーワードの入力位置以降を前記ＢＣＣ宛本文欄と見なす処理とを有することを特徴とする請求項１又は２記載の電子メール送信プログラム。
【請求項５】
前記ＢＣＣ宛先欄に対する入力があったときに、前記ＢＣＣ宛本文欄を表示する処理をコンピュータに実行させることを特徴とする請求項１又は２記載の電子メール送信プログラム。
【請求項６】
ユーザ端末から宛先欄、ＣＣ宛先欄、ＢＣＣ宛先欄の入力それぞれを送信先アドレスとし、本文欄とＢＣＣ宛本文欄に入力されている内容をメール内容とするオリジナル送信メールを受信する処理と、
前記オリジナル送信メールについて、前記宛先欄、ＣＣ宛先欄の入力情報に基づいて送信先アドレス、ＣＣ送信先アドレスを決定し、前記ＢＣＣ宛本文欄の内容は含めず、前記本文欄の内容を電子メールとして送出する処理と、
前記オリジナル送信メールについて、前記ＢＣＣ宛先欄の入力情報に基づいてＢＣＣ送信先アドレスを決定し、前記本文欄とＢＣＣ宛本文欄に入力されている内容を電子メールとして送出する処理とをコンピュータに実行させることを特徴とするメールサーバ用プログラム。
【発明の詳細な説明】
【０００１】
【発明の属する技術分野】
本発明は、電子メール送信プログラム及びメールサーバ用プログラムに関する。
【０００２】
【従来の技術】
従来、インターネットやイントラネット上で電子メールを送信する場合、ユーザ端末でメーラプログラム（電子メール送受信プログラム）を起動し、ディスプレイに送信メール作成画面を表示させる。このメール作成画面には通常、宛先欄（ＴＯ欄）、ＣＣ宛先欄、ＢＣＣ宛先欄、件名欄、本文欄が用意されている。そこでユーザは、ＴＯ欄に送信先のメールアドレスを入力し、ＣＣ宛先欄にはコピー送信が必要な場合にそのメールアドレスを入力し、またＢＣＣ宛先欄には、ブラインドコピー送信が必要な場合にそのメールアドレスを入力する。件名欄にはメールの件名（表題）を入力し、そして本文欄にはメール内容を入力する。
【０００３】
そして入力が完了すれば、画面に用意されている送信ボタンをクリックすることによってＴＯ欄、またＣＣ宛先欄、ＢＣＣ宛先欄それぞれの入力アドレスをそれぞれ送信先アドレスにし、通常の電子メール、電子メールのＣＣ（Ｃａｒｂｏｎ  Ｃｏｐｙ）、ＢＣＣ（Ｂｌｉｎｄ  Ｃａｒｂｏｎ  Ｃｏｐｙ）を作成し、予め登録されているアドレスのメールサーバへ送出する。このような電子メールを受信するメールサーバは、送信先アドレスごとに電子メールを転送する。
【０００４】
この従来の電子メール送信シーケンスを図１４を用いて説明する。送信者がユーザ端末１においてメーラ２を用いてＡさんのメールアドレスを送信先アドレス、ＢさんのメールアドレスをＣＣ送信先アドレス、ＣさんのメールアドレスをＢＣＣ送信先アドレスとし、通信文面を入力して送信する（ステップＳ１）。
【０００５】
これに対して、メーラ２は送信メールの宛先情報を解析し、Ａ、Ｂ、Ｃ各人のメールアドレス宛の個別の送信メールデータＬ１，Ｌ２，Ｌ３を作成し（ステップＳ２）、メールサーバ３宛に送信する（ステップＳ３）。このとき、メールデータＬ１，Ｌ２，Ｌ３はすべて同じ内容であり、宛先欄にはＡさんのメールアドレス、ＣＣ宛先欄にはＢさんのメールアドレスが記入されているが、ＢＣＣを送信するＣさんのメールアドレスはどこにも記入されていない。
【０００６】
メールサーバ３ではその送信フォルダ３Ａで受信した送信メールを一時保存し、宛先メールアドレスを解析してインターネット、イントラネット等の情報ネットワーク４上にＡ、Ｂ、Ｃ各人のメールアドレス宛で、かつ同じ内容の電子メールデータを送出する（ステップＳ４）。
【０００７】
情報ネットワーク４ではメール送信先アドレスを解析して、Ａ、Ｂ、Ｃ各人のメールアドレスを管理するメールサーバ５，６，７それぞれに各電子メールデータを送信する。そしてメールサーバ５ではその受信フォルダ５ＡにＡさん宛の電子メールデータを一時保存し、同様に、メールサーバ６ではその受信フォルダ６ＡにＢさん宛のものを、そしてメールサーバ７ではその受信フォルダ７ＡにＣさん宛のものをそれぞれ一時保存する（ステップＳ５）。
【０００８】
そこで、Ａさんがユーザ端末１１によりメーラ８を起動して受信メールをチェックすれば、メーラ８はメールサーバ５と通信してＡさん宛の電子メールデータをダウンロードし、受信メールとしてディスプレイに表示する。同様に、Ｂさんがユーザ端末１２によりメーラ９を起動して受信メールをチェックすれば、メーラ９はメールサーバ６と通信してＢさん宛の電子メールデータをダウンロードし、受信メールとしてディスプレイに表示し、Ｃさんがユーザ端末１３によりメーラ１０を起動して受信メールをチェックすれば、メーラ１０はメールサーバ７と通信してＣさん宛の電子メールデータをダウンロードし、受信メールとしてディスプレイに表示する。これにより、Ａ，Ｂ，Ｃ各人はＴＯアドレスにＡさんのメールアドレスが記入され、ＣＣアドレスにＢさんのメールアドレスが記入されている電子メールを受信することになる（ステップＳ６，Ｓ７）。
【０００９】
【特許文献１】
特開２００１−３２５１８８号公報
【００１０】
【特許文献２】
特開２００２−１４９５７４号公報
【００１１】
【発明が解決しようとする課題】
ところが、従来の電子メール送信技術では、ＢＣＣアドレス欄に入力されたメールアドレスに対しては、ＴＯアドレス欄、ＣＣアドレス欄の内容も含めてＴＯアドレス宛の電子メールと同様の内容が送信され、ＢＣＣ受信者のアドレスは非表示になるため、直接のメール受信者にもＣＣ受信者にもＢＣＣ受信者が特定されることがないメリットがある反面、ＢＣＣを受信するユーザには受信したＢＣＣメールをメーラで開いても、場合によっては何故にそのような電子メールが送られてきたのか理解できず、送信元に問い合わせしてしまうことがある。
【００１２】
これを避けるためには、送信元においてＢＣＣの送信時にＢＣＣのメールアドレスのユーザに他の手段、例えば電話連絡したり、そのユーザをＴＯ欄の宛先としてＢＣＣを送った旨を通知する電子メールを送ったりする必要があった。
【００１３】
このような問題点は、ＢＣＣの送信先に対してのみ、通常文面に加えて、そのＢＣＣを送信する理由をコメントとして付加できれば解決できる。
【００１４】
本発明はこのような従来の技術的課題に鑑みてなされたもので、直接の送信先やＣＣメールの宛先には表示されず、ＢＣＣメールだけにＢＣＣ用のコメントを付加して送信できる電子メール送信プログラム及びメールサーバ用プログラムを提供することを目的とする。
【００１５】
【課題を解決するための手段】
請求項１の発明の電子メール送信プログラムは、宛先欄、ＣＣ宛先欄、ＢＣＣ宛先欄、件名欄、本文欄、ＢＣＣ宛本文欄を含む電子メール作成画面をディスプレイに表示する処理と、前記宛先欄、ＣＣ宛先欄、ＢＣＣ宛先欄それぞれへのアドレス入力を受け付け、該当各欄に表示する処理と、前記件名欄、本文欄それぞれへの入力を受け付け、該当各欄に表示する処理と、前記ＢＣＣ宛本文欄への入力を受け付け、当該ＢＣＣ宛本文欄に表示する処理と、送信指示を受け付ける処理と、前記送信指示を受け付けたときに、前記宛先欄、ＣＣ宛先欄の入力それぞれを送信先アドレスとし、前記ＢＣＣ宛本文欄の入力内容は含めず、前記本文欄に入力されている内容を本文とする電子メールを作成する処理と、前記送信指示を受け付けたときに、前記ＢＣＣ宛先欄に入力があれば、当該ＢＣＣ宛先欄への入力をＢＣＣ送信先アドレスとし、前記本文欄とＢＣＣ宛本文欄に入力されている内容を本文及びＢＣＣコメントとする電子メールを作成する処理と、前記宛先欄、ＣＣ宛先欄の入力それぞれを送信先アドレスとする電子メールと前記ＢＣＣ宛先欄の入力をＢＣＣ送信アドレスとする電子メールとをメールサーバに送信する処理とをコンピュータに実行させることを特徴とするものである。
【００１６】
請求項１の発明の電子メール送信プログラムでは、これをコンピュータに実行させることにより、ユーザが電子メールを作成するときに、ＢＣＣ宛先欄に送信先のメールアドレスを入力し、ＢＣＣ宛本文欄にＢＣＣを送る理由を入力して送信すれば、当該メール送信プログラムにより宛先欄、ＣＣ宛先欄に入力されたメールアドレスの送信先には本文欄の入力内容だけを伝える電子メールを送信し、ＢＣＣ宛先欄に入力されたメールアドレスの送信先には、本文欄の入力内容と共にＢＣＣ宛本文欄に入力された内容も送信することができる。
【００１７】
これにより、ＢＣＣ送信先のユーザはＢＣＣの通常文面と共にＢＣＣ宛本文欄に記入された内容も読むことができ、ＢＣＣが送られてきた理由を容易に理解できるようになる。
【００１８】
請求項２の発明の電子メール送信プログラムは、宛先欄、ＣＣ宛先欄、ＢＣＣ宛先欄、件名欄、本文欄、ＢＣＣ宛本文欄を含む電子メール作成画面をディスプレイに表示する処理と、前記宛先欄、ＣＣ宛先欄、ＢＣＣ宛先欄それぞれへのアドレス入力を受け付け、該当各欄に表示する処理と、前記件名欄、本文欄それぞれへの入力を受け付け、該当各欄に表示する処理と、前記ＢＣＣ宛本文欄への入力を受け付け、当該ＢＣＣ宛本文欄に表示する処理と、送信指示を受け付ける処理と、前記送信指示を受け付けたときに、前記宛先欄、ＣＣ宛先欄、ＢＣＣ宛先欄の入力それぞれを送信先アドレスとし、前記本文欄とＢＣＣ宛本文欄に入力されている内容をメール内容とするオリジナル送信メールを作成する処理と、前記オリジナル送信メールをメールサーバに送信する処理とをコンピュータに実行させることを特徴とするものである。
【００１９】
請求項２の発明の電子メール送信プログラムでは、これをコンピュータに実行させることにより、ユーザが電子メールを作成するときに、ＢＣＣ宛先欄に送信先のメールアドレスを入力し、ＢＣＣ宛本文欄にＢＣＣを送る理由を入力して送信することができる。
【００２０】
請求項３の発明は、請求項１又は２の電子メール送信プログラムにおいて、ＢＣＣ宛本文欄表示選択ボタンを表示する処理を有し、前記ＢＣＣ宛本文欄表示選択ボタンの選択操作により前記ＢＣＣ宛本文欄を表示することを特徴とするものであり、ユーザがＢＣＣメールの送信時にコメントを必要と判断すればＢＣＣ宛本文欄を表示させてコメントを入力することができる。
【００２１】
請求項４の発明は、請求項１又は２の電子メール送信プログラムにおいて、予めＢＣＣ宛本文欄を指定するキーワードを設定する処理と、前記本文欄に前記ＢＣＣ宛本文欄を指定するキーワードが入力されているか否かを判定する処理と、前記ＢＣＣ宛本文欄を指定するキーワードが入力されていると判定したときに、当該キーワードの入力位置以降を前記ＢＣＣ宛本文欄と見なす処理とを有することを特徴とするものであり、ユーザがＢＣＣメールにコメントを付加したいと願うときに、本文欄に所定のキーワードを入力し、それ以降にコメントを書き込めばプログラム側あるいはメールサーバ側でそれをＢＣＣ用コメントと見なし、ＢＣＣメールに付加して送信することができる。
【００２２】
請求項５の発明は、請求項１又は２の電子メール送信プログラムにおいて、前記ＢＣＣ宛先欄に対する入力があったときに、前記ＢＣＣ宛本文欄を表示する処理をコンピュータに実行させることを特徴とするものであり、ＢＣＣ宛先欄にメールアドレスの入力があったときにだけＢＣＣ宛本文欄を表示することにより、送信メールの作成時に常にＢＣＣ宛本文欄が表示される場合よりも、ユーザに対してＢＣＣ送信のコメントが入力できることを確実に察知させることができ、またＢＣＣ送信しないのにＢＣＣ宛本文欄に誤入力されることも防げる。
【００２３】
請求項６の発明のメールサーバ用プログラムは、ユーザ端末から宛先欄、ＣＣ宛先欄、ＢＣＣ宛先欄の入力それぞれを送信先アドレスとし、本文欄とＢＣＣ宛本文欄に入力されている内容をメール内容とするオリジナル送信メールを受信する処理と、前記オリジナル送信メールについて、前記宛先欄、ＣＣ宛先欄の入力情報に基づいて送信先アドレス、ＣＣ送信先アドレスを決定し、前記ＢＣＣ宛本文欄の内容は含めず、前記本文欄の内容を電子メールとして送出する処理と、前記オリジナル送信メールについて、前記ＢＣＣ宛先欄の入力情報に基づいてＢＣＣ送信先アドレスを決定し、前記本文欄とＢＣＣ宛本文欄に入力されている内容を電子メールとして送出する処理とをコンピュータに実行させることを特徴とするものである。
【００２４】
請求項６の発明のメールサーバ用プログラムでは、請求項２の発明のメール送信プログラムを用いて作成されたＢＣＣ送信付きの電子メールに対して、ＴＯ宛先欄、ＣＣ宛先欄に入力されたメールアドレスの送信先には本文欄の入力内容だけを伝える電子メールを配信し、ＢＣＣ宛先欄に入力されたメールアドレスの送信先には、本文欄の入力内容と共にＢＣＣ宛本文欄に入力された内容も付加した電子メールを配信することができる。
【００２５】
これにより、ＢＣＣ送信先のユーザはＢＣＣの通常文面と共にＢＣＣ宛本文欄に記入された内容も読むことができ、ＢＣＣが送られてきた理由を容易に理解できるようになる。
【００２６】
【発明の実施の形態】
以下、本発明の実施の形態を図に基づいて詳説する。図１は、インターネットを情報ネットワーク１００とする一般的なネットワークシステムを示している。このようなネットワークシステムは、ユーザ端末１０１−１，１０１−２，１０１Ａ，…がＬＡＮ１１０−１，１１０Ａ，１１０Ｂ、電話回線網、光通信回線網等にて接続され、ＬＡＮ１１０−１等には電子メールサーバ１０３−１，１０３Ａ，１０３ＢやＷＷＷサーバ１０４が接続されている。これらの電子メールサーバ１０３−１やＷＷＷサーバ１０４等は情報ネットワーク１００に接続されている。
【００２７】
いま、あるユーザ（１）がユーザ端末１０１−１を用いてユーザ（Ａ），（Ｂ），（Ｃ）に電子メールを送信する場合には、ユーザ（１）はユーザ端末１０１−１においてメーラ（電子メール送受信プログラム）を起動し、ユーザ（Ａ），（Ｂ），（Ｃ）それぞれのユーザアドレス、アドレス（Ａ），（Ｂ），（Ｃ）を送信先アドレス（ＴＯアドレス）とし、通信文を入力して電子メールサーバ１０１−１に送信する。
【００２８】
ここで、ユーザ（Ａ），（Ｂ）のアドレス（Ａ），（Ｂ）は電子メールサーバ１０３Ａに登録され、ユーザ（Ｃ）のアドレス（Ｃ）は電子メールサーバ１０３Ｂに登録されているとする。そして、以下、ユーザ（１）はユーザ端末１０１−１を用いて電子メールを作成して送信し、ユーザ（Ａ）はユーザ端末１０１Ａ、ユーザ（Ｂ）はユーザ端末１０１Ｂ、ユーザ（Ｃ）はユーザ端末１０１Ｃを用いて電子メールを受信するものとする。
【００２９】
ユーザ端末１０１−１から送信される電子メールは、電子メールサーバ１０３−１に一時的に保存され、ここで宛先アドレスの解析が行われ、各宛先アドレスを管理している電子メールサーバ１０３Ａ，１０３Ｂに情報ネットワーク１００を通じて転送される。各電子メールサーバ１０３Ａ，１０３Ｂでは電子メールサーバ１０３−１から送られてきた電子メールデータを保存する。そして、ユーザ端末１０１Ａからメーラによって電子メールサーバ１０３Ａに受信メール問い合わせのアクセスがあれば、電子メールサーバ１０３Ａはユーザ（Ａ）のアドレス（Ａ）宛の電子メールをユーザ端末１０１Ａに転送する。同様に、ユーザ端末１０１Ｃからメーラによって電子メールサーバ１０３Ｂに受信メール問い合わせのアクセスがあれば、電子メールサーバ１０３Ｂはユーザ（Ｃ）のアドレス（Ｃ）宛の電子メールをユーザ端末１０１Ｃに転送する。このようにして、情報ネットワーク１００を利用した電子メールの送受信が実行されるのである。
【００３０】
このような一般的なネットワークシステムを利用して、本発明の第１の実施の形態のメーラ（電子メール送受信プログラム）１０２−１を実行するユーザ端末１０１−１により電子メールを送信する電子メール配信システムについて、図２〜図５を用いて説明する。
【００３１】
図２におけるネットワーク１００は、インターネット、イントラネット、公衆通信回線網、専用通信回線網等の電子メールデータの送受信にかかわるネットワークのすべてを１つにまとめて示したものである。
【００３２】
ユーザ端末１０１−１にインストールされているメーラ１０２−１は、受信メール表示制御部２０１、送信メール作成制御部２０２、メール解析部２０３、宛先別メール作成部２０４、ＢＣＣメール作成制御部２０５、電子メール送受信処理部２０６をソフトウェアによる処理機能として備えている。
【００３３】
受信メール表示制御部２０１は受信メールをユーザ端末１０１−１の画面に表示する。送信メール作成制御部２０２は、メール作成コマンドによりディスプレイに例えば図３に示すような送信メール作成画面２１０を表示する。この画面２１０には、ＴＯアドレス入力欄、ＣＣアドレス入力欄、ＢＣＣアドレス入力欄、件名入力欄、メール本文入力欄２１１を表示する。また、送信ボタン２１２、宛先ボタン２１３と共にＢＣＣ宛メール文作成ボタン２１４も表示し、このＢＣＣ宛メール文作成ボタン２１４にユーザがマウスカーソルを合わせてクリックし、あるいはそれに相当する操作をすれば、メール本文入力欄２１１に加えて、ＢＣＣ宛本文入力欄２１５を表示し、ＢＣＣ宛本文の入力を可能にする。
【００３４】
メール解析部２０３は送信メールのＴＯアドレス、ＣＣアドレス、ＢＣＣアドレスを解析する。宛先別メール作成部２０４は、メール解析部２０３でＴＯアドレスと共にＣＣアドレスが入力されていることが判別されればＴＯ宛のメールと共にＣＣアドレスを送信先とするＣＣメールを作成し、またＢＣＣアドレスが入力されていることが判別されればＢＣＣアドレスを送信先アドレスとするＢＣＣ宛メールを作成する。
【００３５】
ＢＣＣメール作成制御部２０５はメール解析部２０３がＢＣＣアドレスありと判定したときに、宛先別メール作成部２０４の作成したメール内容に対して、ＢＣＣ宛本文入力欄２１５に入力されているＢＣＣ宛本文を付加する。
【００３６】
電子メール送受信処理部２０６は当該メーラ１０２−１をアプリケーション層とし、当該ユーザ端末１０１−１内の通信下位層との電子メールデータの受け渡しを行う。
【００３７】
一方、メールサーバ１０３−１はＬＡＮあるいはインターネットの接続サービスプロバイダの提供する専用通信回線網あるいは公衆通信回線網を通じてユーザ端末１０１−１と接続されている。このメールサーバ１０３−１は一般的なものであり、ユーザ端末１０１−１等からの送信メールを一時保存し、送信先アドレスを解析して該当する送信先アドレスの所属するメールサーバ宛に転送し、また逆に自サーバ宛に他のメールサーバから転送されてきたメール（受信メール）を一時保存し、自サーバに属するメールアドレスを持つユーザ端末１０１−１等からのアクセスに対して受信メールを送出する働きをする。メールサーバ１０３−１はこのために、送信メール管理部２２１、受信メール管理部２２２、ＬＡＮ等のネットワークと外部のインターネットとの間でメールデータを授受するための電子メール送受信処理部２２３をソフトウェアの処理機能として備えている。そして送信メール管理部２２１には、送信メールフォルダを管理する送信メール一時蓄積部２２４、ファイル変換部２２５、メール転送部２２６を有している。また受信メール管理部２２２には、受信メールフォルダに受信メールを一時的に蓄積する受信メール蓄積部２２７を有している。
【００３８】
次に、上記構成の電子メール配信システムによって実行される電子メールの送信処理について説明する。いま、図４に示すように、送信者（１）がユーザ端末１０１−１においてメーラ１０２−１を用いてＡさんのメールアドレスをＴＯ送信先アドレス、ＢさんのメールアドレスをＣＣ送信先アドレス、ＣさんのメールアドレスをＢＣＣ送信先アドレスとし、通常文面、ＢＣＣ文を入力して送信するとする（ステップＳ１１）。
【００３９】
この場合、ユーザ端末１０１−１上で動作しているメーラ１０２−１は、図５のフローチャートに示す処理により送信メールの宛先情報を解析し、Ａ、Ｂ、Ｃ各人のメールアドレス宛の個別の送信メールデータを作成し（ステップＳ１２）、メールサーバ１０３−１宛に送信する（ステップＳ１３）。Ａさん宛、Ｂさん宛のメールデータＬ１，Ｌ２は同じ内容であり、宛先欄にはＡさんのメールアドレス、ＣＣ宛先欄にはＢさんのメールアドレスが記入されているが、ＢＣＣを送信するＣさんのメールアドレスはどこにも記入されていない。また、Ｃさん宛のＢＣＣメールＬ３については、宛先欄にはＡさんのメールアドレス、ＣＣ宛先欄にはＢさんのメールアドレスが記入され、かつ、Ａさん宛の通常文面とＣさん宛のＢＣＣ文が記入されたものである。
【００４０】
メールサーバ１０３−１では、受信した送信メールを送信フォルダ１０３−１Ｆに一時保存し、宛先メールアドレスを解析してインターネット、イントラネット等の情報ネットワーク１００上にＡ、Ｂ、Ｃ各人のメールアドレス宛で電子メールデータＬ１，Ｌ２，Ｌ３を送出する（ステップＳ１４）。
【００４１】
情報ネットワーク１００ではメール送信先アドレスを解析して、Ａ、Ｂ、Ｃ各人のメールアドレスを管理するメールサーバ１０３Ａ，１０３Ｂ，１０３Ｃそれぞれに各電子メールデータＬ１，Ｌ２，Ｌ３を送り届ける。ただし、メールサーバ１０３Ａ〜１０３Ｃについては、各メールＬ１，Ｌ２，Ｌ３の宛先アドレスによって同一のものであることも別個のものであることもある。メールサーバ１０３Ａではその受信フォルダ１０３ＡＦにＡさん宛の電子メールデータＬ１を一時保存し、同様に、メールサーバ１０３Ｂではその受信フォルダ１０３ＢＦにＢさん宛のＣＣメールデータＬ２を、そしてメールサーバ１０３Ｃではその受信フォルダ１０３ＣＦにＣさん宛のＢＣＣメールデータＬ３をそれぞれ一時保存する（ステップＳ１５）。
【００４２】
そこで、Ａさんがユーザ端末１０１Ａによりメーラ１０２Ａ（このメーラは必ずしも送信元のメーラ１０２−１と同一のものでなくてもよい）を起動して受信メールをチェックすれば、メーラ１０２Ａはメールサーバ１０３Ａと通信してＡさん宛の電子メールデータＬ１をダウンロードし、受信メールとしてディスプレイに表示する。同様に、Ｂさんがユーザ端末１０１Ｂによりメーラ１０２Ｂを起動して受信メールをチェックすれば、メーラ１０２Ｂはメールサーバ１０３Ｂと通信してＢさん宛のＣＣメールデータＬ２をダウンロードし、受信メールとしてディスプレイに表示し、Ｃさんがユーザ端末１０１Ｃによりメーラ１０２Ｃを起動して受信メールをチェックすれば、メーラ１０２Ｃはメールサーバ１０３Ｃと通信してＣさん宛のＢＣＣメールデータＬ３をダウンロードし、受信メールとしてディスプレイに表示する。これにより、Ａ，Ｂ各人はＴＯアドレスにＡさんのメールアドレスが記入され、ＣＣアドレスにＢさんのメールアドレスが記入されている電子メールを受信することになる。そしてＣさんは、ＴＯアドレスにＡさんのメールアドレスが記入され、ＣＣアドレスにＢさんのメールアドレスが記入され、通常文面にＢＣＣ文が付加された内容の電子メールを受信することになる（ステップＳ１６，Ｓ１７）。
【００４３】
次に、ユーザ端末１０１−１にインストールされているメーラ１０２−１による電子メール作成処理を図５のフローチャートにより説明する。ユーザ端末１０１−１にてメーラ１０２−１を起動し、メール作成画面を表示させると、図３に示すような電子メール入力画面２１０をディスプレイに表示する。ただし、この状態ではまだＢＣＣ宛本文欄２１５は表示されない（ステップＳＴ１）。そして送信者（１）がＢＣＣ宛メール文作成選択ボタン２１４の選択操作を行うと、同図の画面２１０のようにＴＯアドレス欄、ＣＣアドレス欄、ＢＣＣアドレス欄、件名欄、本文入力欄２１１と共に、ＢＣＣ宛本文入力欄２１５を表示する（ステップＳＴ３）。
【００４４】
送信者（１）がメール作成を完了し、ＢＣＣ宛本文も入力し、送信ボタン２１２を選択する（ステップＳＴ５）。
【００４５】
送信指示を受け付けると、メーラ１０２−１ではＢＣＣアドレス欄に入力があるか否か判定し、ＢＣＣアドレス欄に入力があれば、これには本文入力欄２１１のコピーと共にＢＣＣ宛本文入力欄２１５の入力コメントを付加したＢＣＣメールを作成する（ステップＳＴ７）。そして、ＴＯアドレス宛の通常の電子メール、ＣＣアドレス欄に入力があればＣＣメールを作成する（ステップＳＴ９）。
【００４６】
そしてこれらＴＯアドレス宛の通常の電子メール、ＣＣアドレス宛のＣＣメール、ＢＣＣアドレス宛のＢＣＣメールを送信する（ステップＳＴ１１）。
【００４７】
これにより、第１の実施の形態の電子メール配信システムにおける電子メール送信処理では、ＢＣＣメールにそれを送る意図を知らせるコメントを通常文面に付加して送信することができ、ＢＣＣメールの受信者はＢＣＣメールのコメントを見て送られてきた理由を知ることができることになる。
【００４８】
なお、メーラ１０２−１のＢＣＣ本文入力機能については、図６のフローチャートに示す機能を備えたものとすることができる。このメーラ１０２−１は、電子メール作成画面を表示させたときには図７に示すような画面２１６を表示する。これは一般的なメーラの表示画面と同様である（ステップＳＴ２１）。
【００４９】
そして、このメール作成画面２１６において、ＢＣＣメールにコメント添付が必要な場合、ユーザがＢＣＣコメントであることを示す予め定めたキーワード２１７、ここでは、例えば『ＢＣＣ宛本文：』を入力し、これに続いてＢＣＣコメントを入力し、送信ボタン２１２をクリックし、あるいはそれに相当する操作をする（ステップＳＴ２３，ＳＴ２５）。
【００５０】
これを受けて、メーラ１０２−１側では、ＢＣＣアドレスの入力を判定し、ＢＣＣアドレスの入力があれば、本文中でＢＣＣコメントを示すキーワード２１７をサーチし（ステップＳＴ２７）、該当する入力があれば、そのキーワード２１７の後に入力されている本文をＢＣＣコメントと見なし、ＢＣＣアドレス宛のメールについては本文欄２１１に入力されたすべてをメール文とした電子メールデータを作成する（ステップＳＴ２９）。そして、ＴＯアドレス宛メール、ＣＣアドレス宛メールからはこのＢＣＣ本文を示すキーワード２１７とそれ以降の入力文を削除したものを通常文面とした電子メールデータを作成する（ステップＳＴ３１）。続いて、作成されたＴＯアドレス宛メール、ＣＣアドレス宛メール、ＢＣＣアドレス宛メールをメールサーバ１０３−１に送信する（ステップＳＴ３５）。
【００５１】
この第２の実施の形態のメーラでは、ユーザはＢＣＣコメントの入力のために特にボタン選択操作やＢＣＣ本文入力欄にカーソルを移動させることなく、メール本文入力中に予め定められている形式のＢＣＣ本文入力用のキーワードを入力し、それに続いてＢＣＣコメントを入力するだけで済むことになり、ＢＣＣコメントの入力操作が簡単になる。
【００５２】
なおまた、メーラ１０２−１のＢＣＣ本文入力機能については、図８のフローチャートに示す機能を備えたものとすることができる。このメーラ１０２−１は、図９に示すように電子メール作成画面２１８をユーザ端末１０１−１のディスプレイに表示させ、ＢＣＣアドレス欄２１９に入力があったときにＢＣＣ本文入力欄２１５を自動的に表示することを特徴とする。
【００５３】
このメーラ１０２−１による電子メール作成、送信処理機能について説明する。ユーザ端末１０１−１にてメーラ１０２−１を起動し、メール作成画面を表示させると、図９に示すような電子メール入力画面２１８をディスプレイに表示する。ただし、この状態ではまだＢＣＣ宛本文欄２１５は表示されない（ステップＳＴ４１）。そして送信者（１）がＢＣＣアドレス欄２１９にアドレスを入力すると、同図の画面２１８のようにＴＯアドレス欄、ＣＣアドレス欄、ＢＣＣアドレス欄、件名欄、本文入力欄２１１と共に、ＢＣＣ宛本文入力欄２１５を表示する（ステップＳＴ４３，ＳＴ４５）。
【００５４】
送信者（１）がメール作成を完了し、ＢＣＣ宛本文も入力し、送信ボタン２１２を選択する（ステップＳＴ４７）。
【００５５】
送信指示を受け付けると、メーラ１０２−１ではＢＣＣアドレス欄に入力があるか否か判定し、ＢＣＣアドレス欄に入力があれば、これには本文入力欄２１１のコピーと共にＢＣＣ宛本文入力欄２１５の入力コメントを付加したＢＣＣメールを作成する（ステップＳＴ４９）。そして、ＴＯアドレス宛の通常の電子メール、ＣＣアドレス欄に入力があればＣＣメールを作成する（ステップＳＴ５１）。そしてこれらＴＯアドレス宛の通常の電子メール、ＣＣアドレス宛のＣＣメール、ＢＣＣアドレス宛のＢＣＣメールを送信する（ステップＳＴ５３）。
【００５６】
一方、ＢＣＣアドレス欄２１９に入力がなければ、ＢＣＣ宛本文入力欄２１５を表示させることはなく、本文入力欄２１１だけを表示することになるので、ユーザは本文を入力し、送信ボタン２１２を選択することになる（ステップＳＴ４３，ＳＴ５５）。この場合には、ＢＣＣメールを作成することなくステップＳＴ５１に移行し、ＴＯアドレス宛の通常の電子メール、ＣＣアドレス宛のＣＣメールを作成して送信することになる（ステップＳＴ５１，ＳＴ５３）。
【００５７】
この第３の実施の形態のメーラでは、ユーザは特に意識せずに電子メールを作成し、ＢＣＣが必要と判断した時にＢＣＣアドレス入力欄にアドレスを入力すれば自動的にＢＣＣ宛本文入力欄が表示されて入力できることを認知できるようになる。
【００５８】
次に、本発明の第４の実施の形態の電子メール配信システムについて、図１０〜図１３を用いて説明する。第４の実施の形態の電子メール配信システムは、メールサーバの機能に特徴を有するものである。電子メール作成プログラム（メーラ）については、第１〜第３の実施の形態のいずれかを利用することができる。ただし、本実施の形態の場合、メーラにはＴＯアドレス宛の通常メール、ＣＣアドレス宛のＣＣメール、ＢＣＣアドレス宛のＢＣＣメールを個別に作成してメールサーバに送信する機能を備えている必要はなく、ＢＣＣ宛本文の入力機能を備え、かつ通常本文とＢＣＣ宛本文とを共にメールサーバに送信する機能を備えていればよい。
【００５９】
図１０におけるネットワーク１００は第１の実施の形態と同様、インターネット、イントラネット、公衆通信回線網、専用通信回線網等の電子メールデータの送受信にかかわるネットワークのすべてを１つにまとめて示したものである。
【００６０】
ユーザ端末１０１−１にインストールされているメーラ１０２−１は、受信メール表示制御部２０１、送信メール作成制御部２０２、メール解析部２０３、ＢＣＣメール作成制御部２０５、電子メール送受信処理部２０６をソフトウェアによる処理機能として備えている。ただし、本実施の形態の場合、メーラ１０２−１は宛先別メール作成部２０４を備えていなくてもよい。また、これらの各機能要素２０１〜２０３，２０５，２０６は、第１の実施の形態と同様である。
【００６１】
一方、メールサーバ１０３−１はＬＡＮあるいはインターネットの接続サービスプロバイダの提供する専用通信回線網あるいは公衆通信回線網を通じてユーザ端末１０１−１と接続されている。このメールサーバ１０３−１は、ユーザ端末１０１−１等からの送信メールを一時保存し、送信先アドレスを解析して該当する送信先アドレスの所属するメールサーバ宛に転送し、また逆に自サーバ宛に他のメールサーバから転送されてきたメール（受信メール）を一時保存し、自サーバに属するメールアドレスを持つユーザ端末１０１−１等からのアクセスに対して受信メールを送出する働きをする。また本実施の形態の特徴として、メールサーバ１０３−１はＢＣＣアドレス宛メールに対してはＢＣＣ宛本文を通常文面に付加して転送する機能を備えている。
【００６２】
メールサーバ１０３−１はこのために、第１の実施の形態と同様に送信メール管理部２２１、受信メール管理部２２２、ＬＡＮ等のネットワークと外部のインターネットとの間でメールデータを授受するための電子メール送受信処理部２２３をソフトウェアの処理機能として備えている。
【００６３】
メールサーバ１０３−１の送信メール管理部２２１には、第１の実施の形態と同様に送信メールフォルダを管理する送信メール一時蓄積部２２４、ファイル変換部２２５、メール転送部２２６を有し、加えて、メール解析部２２８と宛先別メール作成部２２９を有している。
【００６４】
メールサーバ１０３−１の受信メール管理部２２２には、第１の実施の形態と同様に受信メールフォルダに受信メールを一時的に蓄積する受信メール蓄積部２２７を有している。
【００６５】
次に、上記構成の電子メール配信システムによって実行される電子メールの送信処理について説明する。いま、図１１に示すように、送信者（１）がユーザ端末１０１−１においてメーラ１０２−１を用いてＡさんのメールアドレスをＴＯ送信先アドレス、ＢさんのメールアドレスをＣＣ送信先アドレス、ＣさんのメールアドレスをＢＣＣ送信先アドレスとし、通常文面、ＢＣＣ文を入力して送信するとする（ステップＳ２１）。
【００６６】
この場合、ユーザ端末１０１−１上で動作しているメーラ１０２−１は、図１２のフローチャートに示す処理により送信メールの宛先情報を解析し、Ａ、Ｂ、Ｃ各人のメールアドレス情報とメール本文、ＢＣＣ文をメールサーバ１０３−１宛に送信する（ステップＳ２２）。
【００６７】
メールサーバ１０３−１では、受信した送信メールを送信フォルダ１０３−１Ｆに一時保存し、宛先アドレスを解析してインターネット、イントラネット等の情報ネットワーク１００上にＡ、Ｂ、Ｃ各人のアドレス宛の電子メールデータＬ１，Ｌ２，Ｌ３を作成する。このとき、ＢＣＣ宛アドレス、つまりＣさん宛アドレスがあれば、ＢＣＣ宛本文の有無を判定し、ＢＣＣ宛本文があればＣさん宛のメールに対してはＢＣＣ宛本文を通常文面に付加したＢＣＣコメント付きメールデータを作成する。一方、Ａ、Ｂ各人のアドレス宛の電子メールデータＬ１，Ｌ２に対してはＢＣＣ宛本文を削除し、通常文面のみのメールデータを作成する（ステップＳ２３）。
【００６８】
こうしてメールサーバ１０３−１側でＡ、Ｂ、Ｃ各人のアドレス宛の電子メールデータＬ１，Ｌ２，Ｌ３を作成すれば、これを情報ネットワーク１００上に送出する（ステップＳ２４）。
【００６９】
情報ネットワーク１００ではメール送信先アドレスを解析して、Ａ、Ｂ、Ｃ各人のメールアドレスを管理するメールサーバ１０３Ａ，１０３Ｂ，１０３Ｃそれぞれに各電子メールデータＬ１，Ｌ２，Ｌ３を送り届ける。メールサーバ１０３Ａではその受信フォルダ１０３ＡＦにＡさん宛の電子メールデータＬ１を一時保存し、同様に、メールサーバ１０３Ｂではその受信フォルダ１０３ＢＦにＢさん宛のＣＣメールデータＬ２を、そしてメールサーバ１０３Ｃではその受信フォルダ１０３ＣＦにＣさん宛のＢＣＣメールデータＬ３をそれぞれ一時保存する（ステップＳ２５）。
【００７０】
そこで、Ａさんがユーザ端末１０１Ａによりメーラ１０２Ａを起動して受信メールをチェックすれば、メーラ１０２Ａはメールサーバ１０３Ａと通信してＡさん宛の電子メールデータＬ１をダウンロードし、受信メールとしてディスプレイに表示する。同様に、Ｂさんがユーザ端末１０１Ｂによりメーラ１０２Ｂを起動して受信メールをチェックすれば、メーラ１０２Ｂはメールサーバ１０３Ｂと通信してＢさん宛のＣＣメールデータＬ２をダウンロードし、受信メールとしてディスプレイに表示し、Ｃさんがユーザ端末１０１Ｃによりメーラ１０２Ｃを起動して受信メールをチェックすれば、メーラ１０２Ｃはメールサーバ１０３Ｃと通信してＣさん宛のＢＣＣメールデータＬ３をダウンロードし、受信メールとしてディスプレイに表示する。これにより、Ａ，Ｂ各人はＴＯアドレスにＡさんのメールアドレスが記入され、ＣＣアドレスにＢさんのメールアドレスが記入され、通常文面だけの電子メールを受信することになる。そしてＣさんは、ＴＯアドレスにＡさんのメールアドレスが記入され、ＣＣアドレスにＢさんのメールアドレスが記入され、通常文面にＢＣＣ文が付加された内容の電子メールを受信することになる（ステップＳ２６，Ｓ２７）。
【００７１】
次に、ユーザ端末１０１−１にインストールされているメーラ１０２−１による電子メール作成処理を図１２のフローチャートにより説明する。ユーザ端末１０１−１にてメーラ１０２−１を起動し、メール作成画面を表示させると、第１の実施の形態と同様に図３に示すような電子メール入力画面２１０をディスプレイに表示する。ただし、この状態ではまだＢＣＣ宛本文欄２１５は表示されない（ステップＳＴ６１）。そして送信者（１）がＢＣＣ宛メール文作成選択ボタン２１４の選択操作を行うと、図３の画面２１０のようにＴＯアドレス欄、ＣＣアドレス欄、ＢＣＣアドレス欄、件名欄、本文入力欄２１１と共に、ＢＣＣ宛本文入力欄２１５を表示する（ステップＳＴ６３）。
【００７２】
送信者（１）がメール作成を完了し、ＢＣＣ宛本文も入力し、送信ボタン２１２を選択する（ステップＳＴ６５）。
【００７３】
送信指示を受け付けると、メーラ１０２−１では送信元アドレス、ＴＯアドレス、ＣＣアドレス、ＢＣＣアドレスの送信先アドレス情報と、本文入力欄２１１の本文データにＢＣＣ宛本文入力欄２１５の入力データを付加した情報をメールサーバ１０３−１宛に送出する（ステップＳＴ６７）。
【００７４】
次に、メールサーバ１０３−１による電子メール配信処理について、図１３のフローチャートにより説明する。ユーザ端末１０１−１の送信者（１）から送信メールデータを受け取ると、メールサーバ１０３−１は送信フォルダ１０３−１Ｆに送信メールを一時保存する（ステップＳＴ７１）。そしてメール解析を実施し、送信先アドレスを解析し、ＢＣＣアドレスがあるか否か判定する（ステップＳＴ７３，ＳＴ７５）。
【００７５】
ＢＣＣアドレスがある場合、ＢＣＣ宛本文がメールデータ中に入力されていることがあるので、受信したデータ全体をメール本文とし、ＢＣＣアドレスを送信先にしたＢＣＣメールを作成する（ステップＳＴ７７）。そしてＴＯアドレス宛、ＣＣアドレス宛のメールとしては、ＢＣＣ宛本文を削除した内容のメール本文を作成する。またＢＣＣアドレスが入力されていない場合には、メール１０２−１から受信した内容をそのままメール本文としたＴＯアドレス宛の通常メール、ＣＣメールを作成する（ステップＳＴ７９）。
【００７６】
こうして作成したＴＯアドレス宛の通常メール、ＣＣメール及びＢＣＣメールを作成すれば、メールサーバ１０３−１はそれらを情報ネットワーク１００上に送出する（ステップＳＴ８１）。
【００７７】
これにより、第４の実施の形態の電子メール配信システムにおける電子メール送信処理では、ＢＣＣメールにそれを送る意図を知らせるコメントを通常文面に付加して送信することができ、ＢＣＣメールの受信者はＢＣＣメールのコメントを見て送られてきた理由を知ることができることになる。
【００７８】
なお、第４の実施の形態の電子メール配信システムにおいて使用するメーラ１０２−１については、第２の実施の形態、第３の実施の形態と同様の機能を備えたものを利用することができる。ただし、いずれの場合にもメーラ側においてＴＯアドレス宛てメール、ＣＣアドレス宛メール、ＢＣＣアドレス宛てメールを作成する機能は必要としない。その機能はメールサーバ側に持たせているためである。
【００７９】
【発明の効果】
以上のように請求項１の発明の電子メール送信プログラムによれば、これをコンピュータに実行させることにより、ユーザが電子メールを作成するときに、ＢＣＣ宛先欄に送信先のメールアドレスを入力し、ＢＣＣ宛本文欄にＢＣＣを送る理由を入力して送信すれば、当該メール送信プログラムにより宛先欄、ＣＣ宛先欄に入力されたメールアドレスの送信先には本文欄の入力内容だけを伝える電子メールを送信し、ＢＣＣ宛先欄に入力されたメールアドレスの送信先には、本文欄の入力内容と共にＢＣＣ宛本文欄に入力された内容も送信することができ、ＢＣＣ送信先のユーザにはＢＣＣの通常文面と共にＢＣＣ宛本文欄に記入された内容も読ませることでＢＣＣが送られてきた理由を容易に理解させることができるようになる。
【００８０】
請求項２の発明の電子メール送信プログラムによれば、これをコンピュータに実行させることにより、ユーザが電子メールを作成するときに、ＢＣＣ宛先欄に送信先のメールアドレスを入力し、ＢＣＣ宛本文欄にＢＣＣを送る理由を入力して送信することができる。
【００８１】
請求項３の発明の電子メール送信プログラムによれば、ＢＣＣ宛本文欄表示選択ボタンを表示する処理を有し、ＢＣＣ宛本文欄表示選択ボタンの選択操作によりＢＣＣ宛本文欄を表示するので、ユーザがＢＣＣメールの送信時にコメントを必要と判断すればＢＣＣ宛本文欄を表示させてコメントを入力することができる。
【００８２】
請求項４の発明の電子メール送信プログラムによれば、予めＢＣＣ宛本文欄を指定するキーワードを設定する処理と、本文欄にＢＣＣ宛本文欄を指定するキーワードが入力されているか否かを判定する処理と、ＢＣＣ宛本文欄を指定するキーワードが入力されていると判定したときに、当該キーワードの入力位置以降をＢＣＣ宛本文欄と見なす処理とを有するので、ユーザがＢＣＣメールにコメントを付加したいと願うときに、本文欄に所定のキーワードを入力し、それ以降にコメントを書き込めばプログラム側あるいはメールサーバ側でそれをＢＣＣ用コメントと見なし、ＢＣＣメールに付加して送信することができる。
【００８３】
請求項５の発明の電子メール送信プログラムによれば、ＢＣＣ宛先欄に対する入力があったときに、ＢＣＣ宛本文欄を表示する処理をコンピュータに実行させることを特徴とするものであり、ＢＣＣ宛先欄にメールアドレスの入力があったときにだけＢＣＣ宛本文欄を表示することにより、送信メールの作成時に常にＢＣＣ宛本文欄が表示される場合よりも、ユーザに対してＢＣＣ送信のコメントが入力できることを確実に察知させることができ、またＢＣＣ送信しないのにＢＣＣ宛本文欄に誤入力されることも防げる。
【００８４】
請求項６の発明のメールサーバ用プログラムによれば、請求項２の発明のメール送信プログラムを用いて作成されたＢＣＣ送信付きの電子メールに対して、ＴＯ宛先欄、ＣＣ宛先欄に入力されたメールアドレスの送信先には本文欄の入力内容だけを伝える電子メールを配信し、ＢＣＣ宛先欄に入力されたメールアドレスの送信先には、本文欄の入力内容と共にＢＣＣ宛本文欄に入力された内容も付加した電子メールを配信することができ、この結果として、ＢＣＣ送信先のユーザにはＢＣＣの通常文面と共にＢＣＣ宛本文欄に記入された内容も読ませることによってＢＣＣが送られてきた理由を容易に理解させることができるようになる。
【図面の簡単な説明】
【図１】一般的な情報ネットワークシステムの構成を示すブロック図。
【図２】本発明の第１の実施の形態の電子メール配信システムの機能ブロック図。
【図３】上記実施の形態で使用するメーラによるメール作成画面を示す説明図。
【図４】上記実施の形態の電子メール配信システムによる電子メール送信処理のシーケンス図。
【図５】上記実施の形態に用いるメーラによる電子メール作成、送信処理のフローチャート。
【図６】本発明の第２の実施の形態のメーラによる電子メール作成、送信処理のフローチャート。
【図７】上記第２の実施の形態のメールによるメール作成画面を示す説明図。
【図８】本発明の第３の実施の形態のメーラによる電子メール作成、送信処理のフローチャート。
【図９】上記第３の実施の形態のメールによるメール作成画面を示す説明図。
【図１０】本発明の第４の実施の形態の電子メール配信システムの機能ブロック図。
【図１１】上記第４の実施の形態の電子メール配信システムによる電子メール送信処理のシーケンス図。
【図１２】上記第４の実施の形態に用いるメーラによる電子メール作成、送信処理のフローチャート。
【図１３】上記第４の実施の形態におけるメールサーバ用プログラムのメール配信処理のフローチャート。
【図１４】従来の電子メール配信システムによる電子メール送信処理のシーケンス図。
【符号の説明】
１００  情報ネットワーク
１０１，１０１−１，１０１−２，…  ユーザ端末
１０１Ａ，１０１Ｂ，１０１Ｃ，…  ユーザ端末
１０２−１，１０２Ａ，１０２Ｂ，１０２Ｃ  メーラ
１０３，１０３−１，１０３Ａ，１０３Ｂ，１０３Ｃ  メールサーバ
１１０−１，１１０Ａ，１１０Ｂ  ＬＡＮ
２０１  受信メール表示制御部
２０２  送信メール作成制御部
２０３  メール解析部
２０４  宛先別メール作成部
２０５  ＢＣＣメール作成制御部
２０６  電子メール送受信処理部
２１０  電子メール作成画面
２１１  本文入力欄
２１２  送信ボタン
２１３  宛先ボタン
２１４  ＢＣＣ宛メール文作成ボタン
２１５  ＢＣＣ宛本文入力欄
２１６  電子メール作成画面
２１７  ＢＣＣ宛本文入力欄のキーワード
２１８  電子メール作成画面
２１９  ＢＣＣアドレス欄
２２１  送信メール管理部
２２２  受信メール管理部
２２３  電子メール送受信管理部
【図１】
2004348477.tif 000003
【図２】
2004348477.tif 000004
【図３】
2004348477.tif 000005
【図４】
2004348477.tif 000006
【図５】
2004348477.tif 000007
【図６】
2004348477.tif 000008
【図７】
2004348477.tif 000009
【図８】
2004348477.tif 000010
【図９】
2004348477.tif 000011
【図１０】
2004348477.tif 000012
【図１１】
2004348477.tif 000013
【図１２】
2004348477.tif 000014
【図１３】
2004348477.tif 000015
【図１４】
2004348477.tif 000016